(57)【要約】【課題】  メガネのフロント部正面に装着することが出来る老眼鏡の提供。【解決手段】  老眼鏡は前掛けフロント部１とフック部２を有し、前掛けフロント部１には凸レンズ５が取付けられ、フック部２は前掛けフロント部１の中央から後方へ延びて下方へ旋回して折畳むことが出来、そしてフック部先端にはカギ７を形成し、該カギ７をフロント部９に係止すると共に前掛けフロント部１はフロント部９に対して傾斜した状態で鼻に載って装着される。【選択図】    図１
2012150394.tif 000002
【特許請求の範囲】
【請求項１】
メガネのフロント部正面に装着することが出来る老眼鏡において、該老眼鏡は前掛けフロント部とフック部を有し、前掛けフロント部には凸レンズが取付けられ、フック部は前掛けフロント部の中央から後方へ延びて下方へ旋回して折畳むことが出来、そしてフック部先端にはカギを形成し、該カギをフロント部に係止すると共に前掛けフロント部はフロント部に対して傾斜した状態で鼻に載って装着されることを特徴とする老眼鏡。
【請求項２】
上記フック部の長さを伸縮可能とし、前掛けフロント部の傾斜角θを調整することが出来るようにした請求項１記載の老眼鏡。
【発明の詳細な説明】
【技術分野】
【０００１】
本発明はメガネのフロント部に手軽に取付けることが出来る老眼鏡（ルーペ）に関するものである。
【背景技術】
【０００２】
老眼鏡とはメガネのフロント部に凸レンズを嵌めた矯正用のメガネであり、新聞や雑誌を読む際に使用される。そこで、近眼の人は遠くを見る時に常時近眼用メガネを着用しているが、新聞・雑誌を読む際には近眼用メガネを外して老眼鏡に架け替えている。勿論、近眼用メガネを着用していない人は架け替える必要はないが、何れの場合も、老眼鏡を常時携帯しなくてはならず、その為に面倒である。
【０００３】
一時的に着用する老眼鏡と言えど、フロント部の両側にツルを折畳み出来るように取付け、該フロント部のリムに凸レンズが嵌っている。すなわち、基本的な形態は常時着用している近眼用メガネと同じであり、その為に、製作する場合はコストが高くなると共に、携帯する際には嵩張ってしまう。そこで、一時的に使用する老眼鏡はコンパクトで携帯が便利な、しかも、常時着用している近眼用メガネを取り外すことなく、該近眼用メガネのフロント部に係止することで装着することが出来るならば便利である。
【０００４】
実用新案登録第３０７８３７５号に係る「前掛け式眼鏡の掛止機構」は、前掛けフレームをあらゆるサイズのメイン眼鏡に装着する際に、ブリッジおよびレンズ縁にフックを掛合するだけで簡単に取り付けることができ、要すれば、老眼鏡の場合、前掛けフレームのリムが視界を遮ることなく良好な視界を得ることを実現することができる前掛け式眼鏡である。
そこで、メイン眼鏡のフロント枠とこのフロント枠の前面側に配置される前掛けフレームとから成り、かつ、この前掛けフレームの周縁の少なくとも一箇所から掛止ヅメを接眼側に延設する一方、掛止ブリッジは接眼側へ鞍形状に延曲せるフック部を有して、このフック部が、前記メイン眼鏡フロント枠のブリッジに掛合し、かつ、前記掛止ツメがメインリムに掛合することによって当該前掛けフレームをメイン眼鏡フロント枠の前面側に配置できるように構成している。
【０００５】
上記前掛けフレームはメガネのフロント枠に着脱自在に取付けられるが、前掛けフレームとフロント枠の形状はほぼ同じ大きさとしている。そして、前掛けフレームはフロント枠に重なり合うように取付けられ、この場合、中央部のフック部と周縁に設けた掛止ツメをフロント枠のリムに係止される。ここで、前掛けフレームに取付けているレンズは凸レンズに限ることなく、サングラスとする場合もある。
【０００６】
ところで、この前掛けフレームをフロント部に取付ける場合、一旦、メガネを外さなくてはならない。すなわち、メガネを掛けたままの状態では、掛止ツメをフロント枠のリムに掛合すると共に、フック部をフロント枠のブリッジに掛合いして前掛けフレームを取付けることは出来ない。その為に、急いで老眼鏡が必要な場合には不便を感じる。
【特許文献１】実用新案登録第３０７８３７５号に係る「前掛け式眼鏡の掛止機構」
【発明の開示】
【発明が解決しようとする課題】
【０００７】
このように、上記従来の前掛け式眼鏡の掛止機構には上記のごとき問題がある。本発明が解決しようとする課題はこれら問題点であり、メガネを掛けた状態で老眼鏡を簡単に取付けることが出来、また取外すことが出来るコンパクトで携帯に便利な老眼鏡を提供する。
【課題を解決するための手段】
【０００８】
本発明に係る老眼鏡は前掛けフロント部とフック部を有し、該フック部はフロント部の中央から後方へ大きく延び、該フック部の先端にはカギを設けている。そして、該フック部は継手を介して折畳み出来るように成っている。ここで、前掛けフロント部の形態及びフック部の形態は特に限定しない。そして、老眼鏡である為に前掛けフロント部には凸レンズが取付けられるが、該凸レンズが嵌るリムを備えている場合、両凸レンズを中央の連結部材にてネジ止め連結する場合、又はハーフリムと水糸にて凸レンズを拘束する場合の何れであっても構わない。
【０００９】
ところで、老眼鏡はメガネのフロント部に係止して取付けられるが、前掛けフロント部は鼻に載って支持され、フック部先端のカギはメガネのフロント部中央ブリッジ又はワタリに係止する。フック部は比較的長く後方へ延びているために、鼻に載った状態で前掛けフロント部は傾斜して装着される。そこで、前掛けフロント部には鼻当て部を有している。
【発明の効果】
【００１０】
本発明に係る老眼鏡は前掛けフロント部とフック部を有し、前掛けフロント部を鼻に載せると共にフック部先端のカギをメガネのフロント部中央に係止することで簡単に取付けることが出来る。逆に簡単に取外すことが出来、この着脱操作はメガネを掛けている状態で行なうことが可能であり、携帯している老眼鏡を取出して素早く掛けることが出来る。
【００１１】
そして、該老眼鏡の前掛けフロント部はメガネのフロント部からは離れ、しかも傾斜している為にその外形はフロント部の形状と違っても何ら問題は無く、その為に、あらゆるメガネに取付けることが出来る。すなわち汎用性がある。また、後方へ大きく延びるフック部は折畳まれて前掛けフロント部に重なる為に、携帯に際してはコンパクト化される。
【図面の簡単な説明】
【００１２】
【図１】本発明に係る老眼鏡を示す実施例で、平面図と正面図をそれぞれ表している。
【図２】本発明の老眼鏡で図１のＡ−Ａ断面図を表している。
【図３】本発明の老眼鏡をメガネのフロント部に係止して装着した場合。
【図４】凸レンズがリムに嵌っている断面図。
【発明を実施するための形態】
【００１３】
図１は本発明に係る老眼鏡を示す実施例である。同図の１は前掛けフロント部、２はフック部を表し、フック部２は前掛けフロント部１の中央に設けられて後方へ大きく延びている。前掛けフロント部１は両リム３，３を連結部材４にて連結し、リム３，３には凸レンズ５，５が嵌っている。そして、連結部材４の下側には鼻当てパット６，６が対を成して取付けられ、従来のメガネフロント部と同じ形態である。
【００１４】
しかし、該老眼鏡はツルを備えておらず、その為にこれ単独で顔に掛けることは出来ず、近眼用のメガネのフロント部正面に装着することが出来る構造としている。その為に、該連結部材４には上記フック部２が取付けられ、フック部２の先端にはカギ７を設けている。該フック部２は連結部材４に取付けられているが、継手８を介して折畳み可能と成っている。
【００１５】
ところで、図１に示す老眼鏡は金属製であってリング状のリム３，３は連結部材４の両端にロウ付けされているが、前掛けフロント部１及びフック部２を樹脂製として一体成形することも出来る。また、同図の前掛けフロント部１は凸レンズ５，５が嵌るリム３，３を備えているが、該リム３，３を有すことなく、両凸レンズ５，５を連結部材４の両端にネジ止めして構成することも可能である。又は上側半分のハーフリムと下側に水糸を設けて凸レンズ５，５を保持するナイロール式前掛けフロント部１として構成する場合もある。
【００１６】
何れの場合であっても、連結部材４にはフック部２が継手８を介して折畳み出来るように取付けられる。ただし、該フック部２は下側に旋回して折畳まれ、上側への旋回は出来ないようにしている。図２は図１のＡ−Ａ断面図を示しているように、前掛けフロント部１には継手８を介してフック部２が連結し、該フック部２は下側（矢印方向）に旋回して折畳まれる。
【００１７】
そして、カギ７は下方へ屈曲し、メガネのフロント部９の連結部材又はワタリに係止することが出来る。図３は顔に掛けているメガネのフロント部９に老眼鏡を取付けた場合を示している。このように、本発明の老眼鏡はその前掛けフロント部１の鼻当てパット６，６が鼻１０の両脇に当接して該前掛けフロント部１を支え、フック部２の先端カギ７はメガネのフロント部９の連結部材に係止することが出来る。
【００１８】
そして、前掛けフロント部１は同図に示すように傾斜して取付けられる。従って、老眼鏡はメガネのフロント部９に取付けられるのではなく、あくまでもフロント部９にフック部２の先端カギ７を係止するだけで装着される。その為に、該老眼鏡はメガネを取外す必要はない。
【００１９】
前掛けフロント部１はこのように傾斜することでフロント部９との間に空間１１が形成され、その為に、該前掛けフロント部１はメガネのフロント部９とその形状並びに大きさを揃える必要はない。一般に、前掛けフロント部１はメガネのフロント部９に比較して小さくなっている。新聞や雑誌を読む際に掛ける老眼鏡は遠くを見るためのフロント部９のように大きくする必要はなく、小さい方が携帯にも便利である。
【００２０】
ところで、本発明の老眼鏡はメガネのフロント部９に取付けるのではなく、フック先端のカギ７を係止すると共に前掛けフロント部１を鼻に載せて掛けることが出来る。その為に、該前掛けフロント部１はある程度の重さが必要となる。すなわち、余りに軽いと鼻に載った前掛けフロント部１は安定せず、また、鼻に載って傾斜する前掛けフロント部１を支えるフック部先端のカギ７も安定しない。
【００２１】
そこで、前掛けフロント部１を構成するリム３の厚さを大きくし、該リム３に嵌る凸レンズ５の表面１２がリム３からはみ出さないようにすることが出来る。図４はリム３の厚さ寸法を大きくした前掛けフロント部１の断面を示す具体例である。このように、リム３の厚さを大きくすることで前掛けフロント部１の重量は増加すると共に、凸レンズ５の両表面１２，１２を保護する効果も得られる。
【００２２】
本発明の老眼鏡は、図３に示すように前掛けフロント部１をメガネのフロント部９との間に角度θだけ傾斜して装着される。ここで、該傾斜角θはそれぞれ人によって異なり、新聞・雑誌が最も読みやすい傾斜角θが存在する。そこで、本発明ではフック部２の長さを調整することで該傾斜角θを変更することが出来る構造としている。
【００２３】
フック部２の具体的な長さ調整機構は色々ある為に限定はしないことにするが、最も一般的な手段としては、スライドして所定の長さでネジ止めするようにした機構である。すなわち、フック部２をガイドに沿って互いに伸縮することが出来る２ピース構造とし、適当な長さでネジ止めすることが出来る。このように、該フック部２の長さが変わることで、前掛けフロント部１に傾斜角θを調整することが可能と成る。
【符号の説明】
【００２４】
１  前掛けフロント部
２  フック部
３  リム
４  連結部材
５  凸レンズ
６  鼻当てパット
７  カギ
８  継手
９  フロント部
10  鼻
11  空間
12  表面
【図１】
2012150394.tif 000003
【図２】
2012150394.tif 000004
【図３】
2012150394.tif 000005
【図４】
2012150394.tif 000006